【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
アナログ光学サウンド・トラックを再生する装置であって、
前記アナログ光学サウンド・トラックを含むフィルムを給送するための給送手段と、
前記アナログ光学サウンド・トラックだけの画像信号を生成する走査手段と、
前記アナログ光学サウンド・トラックの前記画像信号が前記走査手段の幅全体に亘るように、前記走査手段を位置合わせするための位置合わせ手段と、
前記画像信号を処理して音声出力信号を形成するための処理回路と、を備える、前記装置。
【請求項２】
前記走査手段は、幾つかのピクセルにより定められた画像幅を有するライン・アレイＣＣＤカメラを備える、請求項１記載の装置。
【請求項３】
前記画像信号を見て、前記アナログ光学サウンド・トラック中の音声ピークが前記画像幅をほぼ満たすように前記位置合わせ手段を調整できるようにするためのビデオ表示装置を備える、請求項２記載の装置。
【請求項４】
前記位置合わせされた走査手段は、前記アナログ光学サウンド・トラックの幅を表す前記ピクセルのうちの各ピクセルをディジタル値に変換する、請求項３記載の装置。
【請求項５】
前記処理回路は、前記アナログ光学サウンド・トラックの幅を表す前記ピクセルを、前記アナログ光学サウンド・トラック中にある音声信号を表すディジタル値を有する第１のピクセル・グループと、未使用サウンド・トラック領域を表すディジタル値を有する第２のピクセル・グループとに分類する、請求項４記載の装置。
【請求項６】
前記処理回路は、前記画像幅を表す前記ピクセル数から前記第１のピクセル・グループ中のピクセル総数を減算することにより、前記第１のピクセル・グループから瞬時音声信号振幅を表す信号を生成するアルゴリズムを備える、請求項５記載の装置。
【請求項７】
前記画像信号は、前記アナログ光学サウンド・トラックをディジタル・ワードとして表す、請求項４記載の装置。
【請求項８】
アナログ光学サウンド・トラックを再生する方法であって、
ａ）前記アナログ光学サウンド・トラックを走査するステップと、
ｂ）前記走査中に、前記アナログ光学サウンド・トラックを表す画像信号を形成するステップと、
ｃ）前記画像信号を処理してビデオ表示信号を形成するステップと、
ｄ）前記ビデオ表示信号を見て、前記走査を調整し、前記アナログ光学サウンド・トラックを表す前記画像信号をセンタリングするステップとを含む方法。
【請求項９】
前記調整するステップは、
ｅ）前記ビデオ表示信号の幅を前記アナログ光学サウンド・トラックの表示で満たすステップを含む、請求項８記載の方法。
【請求項１０】
ｆ）前記画像信号を変換して、前記サウンド・トラックを表す音声信号を形成するステップと、
ｇ）前記音声信号を聞いて、位置合わせを調整し、前記アナログ光学サウンド・トラックを表す前記画像信号の形成を最適化するステップとを含む、請求項９記載の方法。
【請求項１１】
フィルム上でのアナログ光学サウンド・トラックの位置変動を除去する方法であって、
ａ）音声を表す包絡線付きのサウンド・トラックを含む前記フィルムを給送するステップと、
ｂ）前記音声を表す包絡線付きの前記サウンド・トラックのディジタル画像を形成するステップと、
ｃ）音声を表す包絡線付きの前記サウンド・トラックの前記ディジタル画像を位置合わせし、前記フィルム上での前記サウンド・トラックの前記位置変動と前記音声を表す包絡線のピークとが前記ディジタル画像内に留まるようにするステップと、を含む、前記方法。
【請求項１２】
前記形成するステップは、前記ディジタル画像の幅を定める幾つかのピクセルを有するライン・アレイＣＣＤカメラを使用して、前記音声を表す包絡線付きの前記サウンド・トラックを撮像するステップを含む、請求項１１記載の方法。
【請求項１３】
前記位置合わせするステップは、前記ディジタル画像を見て前記位置合わせを調整するステップを含む、請求項１２記載の方法。
【請求項１４】
前記ディジタル画像の前記幅を定める各ピクセルを、前記サウンド・トラックのみと、前記音声を表す包絡線を含む前記サウンド・トラックとのうちの一方を表す各ピクセルのディジタル値に従って分類するステップを含む、請求項１２記載の方法。
【請求項１５】
前記分類するステップは、２つの値のうちの一方を有するように各ピクセルの前記ディジタル値を量子化するステップを含む、請求項１４記載の方法。
【請求項１６】
前記分類するステップが、前記音声を表す包絡線を含む前記サウンド・トラックを表す前記ディジタル値を有する前記ピクセルを合計し、前記ピクセル合計を、前記ディジタル画像幅を定める前記ピクセル数から減算して、瞬時音声信号振幅を表す数を形成するステップを含む、請求項１４記載の方法。
【請求項１７】
アナログ光学サウンド・トラックを再生する装置であって、
前記アナログ光学サウンド・トラックを含むフィルムを給送する手段と、
前記アナログ光学サウンド・トラックだけの画像信号を生成する走査手段と、
前記アナログ光学サウンド・トラックの前記画像信号が前記走査手段の幅全体に亘るように、前記走査手段を位置合わせするための第１の手段と、
前記アナログ光学サウンド・トラックの前記画像の向かい合うピークが同時にほぼ同じ大きさを有するように、前記走査手段のアジマスを調整するための第２の手段と、を備える、前記装置。
【請求項１８】
前記アナログ光学サウンド・トラックの前記画像の前記向かい合うピークを、前記ピークの一致を示すための電子的に生成されたカーソル・ラインと共に、表示サイズを拡大して選択的に表示するための画像処理手段を備える、請求項１７記載の装置。
【手続補正２】
【補正対象書類名】明細書
【補正対象項目名】発明の名称
【補正方法】変更
【補正の内容】
【発明の名称】光学サウンド・トラックを再生する装置および方法
【手続補正３】
【補正対象書類名】明細書
【補正対象項目名】０００２
【補正方法】変更
【補正の内容】
【０００２】
光学式録音は、アナログ映画サウンド・トラックに利用される最も一般的なフォーマット（形式）である。このアナログ・フォーマットは、可変面積方法（ｖａｒｉａｂｌｅ  ａｒｅａ  ｍｅｔｈｏｄ）を使用するが、可変面積方法では、較正された光源からの照明が、音声信号で調節されたシャッタを通過する。シャッタは、音声信号の強度またはレベルに比例して開き、この結果、光源からの照明ビームの幅が調節される。この幅の変動する照明は、単色写真フィルムを露光するように向けられ、この単色写真フィルムを処理すると、例えば、波形末端でほぼ透明なまたは色付きのフィルム・ベース材料で囲まれた、黒い音声波形包絡線が得られる。このようにして、瞬時音声信号振幅は、露光され現像されたフィルム・トラックの幅により表される。図１に、可変幅アナログ音声サウンド・トラックを記録するための一構成を、かなり単純化した形式で示す。
【手続補正４】
【補正対象書類名】明細書
【補正対象項目名】０００３
【補正方法】変更
【補正の内容】
【０００３】
アナログ映画サウンド・トラックには第２の方法を利用することもでき、この第２の方法では、音声信号が写真音声トラックの幅全体を変動可能に露光する。可変濃度式（ｖａｒｉａｂｌｅ  ｄｅｎｓｉｔｙ  ｍｅｔｈｏｄ）と呼ばれるこの方法では、トラック幅全体の露光量を音声信号の強度に従って変化させて、例えばほぼ透明なまたは色付きのベース・フィルム材料と、露光され現像された写真材料の低透過率領域、即ち高濃度領域との間で透過率が変化するトラックを生成する。従って、瞬時音声信号振幅は、露光され現像されたフィルム・トラックの幅全体に亘る照明の透過率の変化により表される。
【手続補正５】
【補正対象書類名】明細書
【補正対象項目名】０００６
【補正方法】変更
【補正の内容】
【０００６】
像拡散歪みは、所望の像の輪郭をはみ出したことによる誤った縁取り、即ち、スプリアス・フリンジング像（ｓｐｕｒｉｏｕｓ  ｆｒｉｎｇｉｎｇ  ｉｍａｇｅ）が生成されたときに生じる。通常、像拡散歪みは、フィルム・ベース内においてハロゲン化物の粒子と周囲のゼラチンとの間で光が拡散することにより生じる。この光の散乱により、露光された領域をやや越えて像が形成される。ネガティブ（ｎｅｇａｔｉｖｅ）およびポジティブ（ｐｏｓｉｔｉｖｅ）の濃度および露光量が最適なら、くっきりとした明瞭な像が得られる。しかし、可変面積式で記録されたネガティブでは、像拡散があると、音声変調包絡線のピークは丸くなって見え、包絡線（ｅｎｖｅｌｏｐｅ）の谷は鋭くなって見え、幅は縮小して見える。この像歪みは非対称の包絡線歪みを引き起こし、これは、復元された音声では奇数調波歪みと混変調歪みの両方になる。記録濃度が増加するにつれて、像拡散も増大し、そのためシビランス（ｓｉｂｉｌａｎｃｅ：摩擦音）としてはっきり認識される。シビランスは最初、記録波長がより短いので、より高い周波数内容においてはっきり認識される。記録濃度が更に増加すると、歪みは、記録されたスペクトル中で漸進的に低い周波数で顕著になる。
【手続補正６】
【補正対象書類名】明細書
【補正対象項目名】０００７
【補正方法】変更
【補正の内容】
【０００７】
一般に、サウンド記録フィルムは、青色照明に感光するだけであり、灰色のハレーション防止染料を採用して、ハレーション（ｈａｌａｔｉｏｎ）の影響を大幅に低減するか除去している。ハレーションは、フィルム・ベースの背部からの反射により生じる可能性があり、望ましくない二次的な感光乳剤の露光を引き起こす。通常、微粒子であり、高コントラストの感光乳剤を、３．０〜３．２の制御ガンマで使用する。
【手続補正７】
【補正対象書類名】明細書
【補正対象項目名】００１３
【補正方法】変更
【補正の内容】
【００１３】
アナログ光学式録音方法は本質的に、処理中に物理的損傷および汚れを受けやすい。例えば、汚れまたは埃が、一時的でランダムな雑音イベント（事象）をもたらす可能性がある。同様に、露光領域または露光されない領域の傷が、サウンド・トラックの光透過特性を変化させ、重度の一時的雑音スパイクを引き起こす可能性がある。更に、フィルム・パーフォレーション（ｐｅｒｆｏｒａｔｉｏｎ：穿孔）、不適切なフィルム経路レーシング（ｌａｃｉｎｇ）、関連するフィルム損傷など、その他の物理的または機械的結果が、望ましくない周期的な反復効果をサウンド・トラック中にもたらす可能性もある。これらの周期的変動は、スプリアス照明をもたらし、低周波数のバズ音（例えば、約９６Ｈｚの矩形パルス波形を有し、高調波が多く、望ましい音声信号が散在する）を引き起こす可能性がある。同様に、ピクチャ領域の光が、サウンド・トラック領域に漏出する場合があり、像に関連する音声劣化を引き起こすこともある。
【手続補正８】
【補正対象書類名】明細書
【補正対象項目名】００１６
【補正方法】変更
【補正の内容】
【００１６】
（発明の概要）
発明の構成において、アナログ光学サウンド・トラックを再生するための装置は、アナログ光学サウンド・トラックを含むフィルムを給送するための給送手段を備えている。走査手段が、アナログ光学サウンド・トラックだけの画像信号を生成する。位置合わせ手段が、走査手段を位置合わせし、アナログ光学サウンド・トラックの画像信号が走査手段の幅をほぼ満たすようにする。処理回路が、画像信号を処理して音声出力信号を形成する。
【手続補正９】
【補正対象書類名】明細書
【補正対象項目名】００１７
【補正方法】変更
【補正の内容】
【００１７】
別の発明の方法では、フィルム上でのアナログ光学サウンド・トラックの位置変動が除去される。この方法は、位置変動を被りやすい、音声を表す包絡線付きのサウンド・トラックを含むフィルムを給送するステップと、前記音声を表す包絡線付きのサウンド・トラックのディジタル画像を形成するステップと、音声を表す包絡線付きの前記サウンド・トラックのディジタル画像を位置合わせし、フィルム上での前記サウンド・トラックの位置変動と音声を表す包絡線のピークとがディジタル画像内に留まるようにするステップと、ディジタル画像を処理して、音声を表す包絡線だけを分離し、音声を表す包絡線から音声出力信号を形成するステップとを含んでいる。
【手続補正１０】
【補正対象書類名】明細書
【補正対象項目名】００１８
【補正方法】変更
【補正の内容】
【００１８】
別の発明の装置は、光学サウンド・トラック再生中に、走査手段のアジマス調整を容易にする。この装置は、アナログ光学サウンド・トラックを含むフィルムを給送するためのフィルム給送機構を備えている。走査手段が、アナログ光学サウンド・トラックだけの画像信号を生成し、走査手段は、アナログ光学サウンド・トラックの画像信号が走査手段の幅をほぼ満たすように位置合わせする。アジマス調整手段が、前記アナログ光学サウンド・トラックの画像の向かい合うピークが同時にほぼ同じ大きさで表示されるように、走査手段を位置決めする。
【手続補正１１】
【補正対象書類名】明細書
【補正対象項目名】００１９
【補正方法】変更
【補正の内容】
【００１９】
図３のブロック図に、光学式録音アナログ音声サウンド・トラックを再生および処理するための発明の構成を示す。通常、光源１０が、音声サウンド・トラック２５を含むフィルム２０上に投影される。図３では、音声サウンド・トラック２５の幅寸法を誇張して示してある。音声信号は、トラック２５に示すように可変面積記録方法により表すことができるが、音声信号はまた、サウンド・トラック領域の幅のほぼ全体に亘って対応する濃度変動により表すこともできる。従来のフィルム・サウンド再生機では、サウンド・トラックを露光するために採用される方法に従って、光源１０からの光は、変動する強度でフィルム２０およびトラック２５を透過する。しかし、得られる変動強度の透過光は、光電管や固体光検出器などの光センサにより収集される。通常、光センサは、透過光の強度に応じた電流または電圧を生成する。光センサからアナログ音声出力信号が得られるが、このアナログ音声出力は、一般には増幅され、しばしば、周波数内容を変化させて記録済みトラックの音響特性の欠陥を改善または緩和するための処理が施される。しかし、一般に、このような周波数応答処理では、望ましい音声内容に悪影響を及ぼさずに欠陥を修復することはできない。
【手続補正１２】
【補正対象書類名】明細書
【補正対象項目名】００２２
【補正方法】変更
【補正の内容】
【００２２】
オペレーティング・システムが、コントローラ４００中に存在するか、またはブロック４０５に示すように存在するものとすることができ、ユーザーに対して表示装置５００上に視覚的メニューおよび制御パネルを表示する。コントローラ４００は、パーソナル・コンピュータであってもよく、カスタム処理集積回路（ＩＣ）として実装してもよい。ただし、コンピュータ・コントローラは、カメラ・データに関連する高転送レートをサポートしなければならず、高転送レートを維持することのできるＵｌｔｒａ（ウルトラ）ＳＣＳＩ１６０インタフェースと共に、少なくとも５１２ＭＢのＲＡＭを必要とする。更に、デュアル処理回路を用いたコンピュータでは並列処理を可能にすることもでき、これにより処理速度と性能の両方を高めることができる。
【手続補正１３】
【補正対象書類名】明細書
【補正対象項目名】００２３
【補正方法】変更
【補正の内容】
【００２３】
カメラ１００は、２０４８ピクセルのライン・アレイＣＣＤセンサを有し、ＬＶＤＳ（Ｌｏｗ  Ｖｏｌｔａｇｅ  Ｄｉｆｆｅｒｅｎｔｉａｌ  Ｓｉｇｎａｌｉｎｇ：低電圧差動通信）またはＲＳ６２２出力信号フォーマットに従って８ビットのパラレル・ディジタル出力信号１２０を供給する。２０４８ピクセルのライン・アレイ・センサを使用することにより、大きな周波数応答歪みのないサウンド・トラック包絡線画像を取り込むのに十分な解像度が得られる。加えて、カメラはフレーム・グラバ２００で制御することができ、フレーム・グラバ２００は更に、同期インタフェース２５０を介してＮＴＳＣまたはＨＤ（Ｈｉｇｈ  Ｄｅｆｉｎｉｔｉｏｎ：高精細度）テレビジョン同期パルスとの同期をとり、また、公称２４ｆｐｓの通常動作速度でサウンド・トラック画像を取り込むのに十分な出力データ・レートも可能にする。
【手続補正１４】
【補正対象書類名】明細書
【補正対象項目名】００２４
【補正方法】変更
【補正の内容】
【００２４】
従って、フレーム・グラバ（ｆｒａｍｅ  ｇｒａｂｂｅｒ）２００の制御の下で、また表示装置５００およびキーボード６００からのユーザー制御に応答して、ディジタル画像はフレーム取込みカード２００を介して送られ、ハード・ディスクのメモリ・アレイ３００に記憶される。例えば、この有利な構成で採用される走査レートでは、１分あたり約４ギガバイトの典型的なファイル・サイズとなり、このビットストリームが、ストライピングされたＲＡＩＤシステム３００に記憶されるように供給される。ＲＡＩＤシステム３００は、大きなサウンド・トラック画像ビデオファイルの記憶を容易にすると共に、高速な転送レートが得られる。
【手続補正１５】
【補正対象書類名】明細書
【補正対象項目名】００２６
【補正方法】変更
【補正の内容】
【００２６】
レンズおよび光学系の条件の選択は、主として、３５ｍｍ音声光学トラックの幅およびイメージャ・アレイの幅により決定される。３５ｍｍ光学トラックは、標準化された２．１３ｍｍの幅を有し、イメージャのおよその長さは、１０ミクロンのピクセル・サイズに基づくと、約２０．４８ｍｍである。従って、３５ｍｍサウンド・トラックの最大幅がイメージャ幅を満たすようにするには、画像倍率を約１０：１にする必要がある。同様に、１．８３ｍｍ幅の１６ｍｍトラックの場合は、センサ幅を満たすために、５６ｍｍの延長管または蛇腹を追加する必要がある。
【手続補正１６】
【補正対象書類名】明細書
【補正対象項目名】００２７
【補正方法】変更
【補正の内容】
【００２７】
撮像の考慮事項に加えて、処理済み音声信号の所望の帯域幅も考慮しなければならない。例えば、１５ｋＨｚの再生音声帯域幅が必要な場合は、３０ｋＨｚのサンプリング周波数または画像走査レートが必要である。従って、３０ｋＨｚの例示的なサンプリング周波数では、カメラは画像走査（音声トラック・ライン走査）ごとに２０４８バイトまたは８ビット・ワードを出力し、１秒あたり２０４８×３０×１０３、即ち６１．４メガバイトの出力データ・レートを生み出すことになる。従って、１分のサウンド・トラックは、約３．６８ギガバイトの記憶域を必要とする。このような記憶容量条件は、Ｕｌｔｒａ  Ｗｉｄｅ（ウルトラ・ワイド）ＳＣＳＩ１６０ドライブなど、典型的なストライピングされたＲＡＩＤシステムにより提供することができる。
【手続補正１７】
【補正対象書類名】明細書
【補正対象項目名】００２８
【補正方法】変更
【補正の内容】
【００２８】
図４のＡに、マグナ・テック・エレクトロニック社（Ｍａｇｎａ−ｔｅｃｈ  Ｅｌｅｃｔｒｏｎｉｃ  Ｃｏ．Ｉｎｃ．）製の例示的な磁気フィルム給送機構を示す。これは、この発明の走査構成の基礎をなし、ライン・アレイＣＣＤカメラを装着するのに十分な空間のあるサーボ制御フィルム給送システムを提供する。重要な条件は、適切なフィルム誘導と、フィルムが光源とカメラの間で移動するときに、フィルム焦点が変動するのを防止するために安定したフィルム経路を提供することである。実験を介して、走査に最適なフィルム安定性は、フィルムがはずみ車に巻き付く位置で達成されることが分った。フィルム画像面は、はずみ車の位置で曲がるが、フィルム位置でのアジマス誤差なしで直角に見るライン・アレイ・スキャナを使用すると、被写界深度およびサウンド・トラック相互変調の問題や、位相位置合わせおよびフランジングの歪みは防止される。
【手続補正１８】
【補正対象書類名】明細書
【補正対象項目名】００３４
【補正方法】変更
【補正の内容】
【００３４】
サウンド・トラック全体をディジタル画像として記憶した後、発明の処理モードをオンスクリーン・ツールバーから選択する。図６に示す処理制御パネルにより、オペレータは、記憶済みサウンド・トラック画像に特有の処理を選択および最適化することができる。例えば、フィルム・ゲージが選択可能であり、それと共に、フィルム・タイプかポジティブかネガティブか、音声変調方法（例えば、片側可変面積、両側可変面積、デュアル両側可変面積、ステレオ可変面積、または可変濃度）が選択可能である。有利な処理アルゴリズムをオンスクリーン・メニューから選択し、これを記憶システム３００から読み出される記憶済みディジタル画像に適用して、コントローラ４００のＣＰＵまたはＤＳＰ（Ｄｉｇｉｔａｌ  Ｓｉｇｎａｌ  Ｐｒｏｃｅｓｓｏｒ）カードにより処理されるようにする。
【手続補正１９】
【補正対象書類名】明細書
【補正対象項目名】００３８
【補正方法】変更
【補正の内容】
【００３８】
他のサイズおよび形状のマスクまたはウィンドウを有利に採用して、メジアン値の形成を容易にすることもできる。例えば、サウンド・トラック幅全体に亘って連続する３つの画像走査から形成される３×６のマスクは、メジアン値の形成においてトラック幅に好都合なピクセル近傍を形成することになる。あるいは、例えば９×３のマスクを使用することにより、マスクまたはウィンドウは有利にも、より多くの連続する走査に亘って延びているが、より小さいトラック幅を占めるピクセル近傍からメジアン値を形成するのを容易にすることもできる。加えて、対角線重み付け画像処理を実行するように、例示的マスクを構成することもできる。